(57)【要約】【課題】  コンクリート地下壁の内側部分において浸透水等の排水を確実に行い得る信頼性の高い排水壁構造体を構築でき、且つ、施工性を高めると共に、分別解体を容易にする排水壁構造体の施工方法を提供する。【解決手段】  コンクリート地下壁１から所定の間隔を置いて室内側に上部ランナ２と下部ランナ３を配設すると共に、上部ランナ２と下部ランナ３との間にスタッド４を立設する工程と、スタッド４に胴縁材７を介して固定部材によって板状断熱材６を取り付ける工程と、胴縁材７に内装材もしくは内装下地材９を取り付ける工程とを有することを特徴とする。【選択図】      図３
2005200944.tif 000002
【特許請求の範囲】
【請求項１】
浸透水や結露水等の排水路を確保するように施工される排水壁構造体の施工方法であって、
コンクリート地下壁から所定の間隔を置いて室内側に上部ランナと下部ランナを配設すると共に、上部ランナと下部ランナとの間にスタッドを立設する工程と、
前記スタッドに、胴縁材を介して固定部材によって板状断熱材を取り付ける工程と、
前記胴縁材に内装材もしくは内装下地材を取り付ける工程と、
を有することを特徴とする排水壁構造体の施工方法。
【請求項２】
前記上部ランナと前記下部ランナは、両側に相対向する脚条を有するチャンネル部材であり、且つ、前記下部ランナは、コンクリート地下壁側に位置する前記脚条の一部が切り欠かれていることを特徴とする請求項１に記載の排水壁構造体の施工方法。
【請求項３】
前記スタッドを立設する際に、スタッドとコンクリート地下壁との間隔を調整する機能を有するスペーサを取り付けることを特徴とする請求項１又は２に記載の排水壁構造体の施工方法。
【請求項４】
前記胴縁材を、前記スタッドに対し直交する方向に取付けることを特徴とする請求項１乃至３のいずれか一項に記載の排水壁構造体の施工方法。
【請求項５】
前記胴縁材は、両側に相対向する脚条を有するチャンネル部材であり、前記板状断熱材は複数の案内溝を有し、該案内溝に前記チャンネル部材の脚条部分を挿入することを特徴とする請求項１乃至４のいずれか一項に記載の排水壁構造体の施工方法。
【請求項６】
浸透水や結露水等の排水路を設けた排水壁構造体であって、
コンクリート地下壁から所定の間隔を置いて室内側に配設された上部ランナと下部ランナとの間にスタッドが立設されており、該スタッドに胴縁材を介して固定部材によって板状断熱材が取り付けられており、さらに該胴縁材に内装材もしくは内装下地材が取り付けられた構造を有することを特徴とする排水壁構造体。
【請求項７】
前記上部ランナと前記下部ランナは、両側に相対向する脚条を有するチャンネル部材であり、且つ、前記下部ランナは、コンクリート地下壁側に位置する前記脚条の一部が切り欠かれていることを特徴とする請求項６に記載の排水壁構造体。
【発明の詳細な説明】
【技術分野】
【０００１】
本発明は、浸透水や結露水等の排水路を設けた排水壁構造体及びその施工方法に関する。
【背景技術】
【０００２】
地下の浸透水等をコンクリート躯体の内側で排水するために、裏面に排水溝を有しこの排水溝を透水性又は通水性シートで覆ったパネルを、地下壁内側の型枠パネルとして用いる方法が開示されている（例えば、特許文献１及び特許文献２参照）。
【０００３】
また、裏面にコンクリート躯体との間で排水路を形成する排水溝を有する合成樹脂発泡板からなる排水パネルを用いて排水壁構造体を施工する方法が開示されている（例えば、特許文献３参照）。
【０００４】
【特許文献１】実公平８−６１１７号公報
【特許文献２】特公平８−３０３４３号公報
【特許文献３】特開平１１−１５２７６０号公報
【発明の開示】
【発明が解決しようとする課題】
【０００５】
しかしながら、特許文献１及び特許文献２のように排水溝を有するパネルを地下壁内側の型枠パネルとして用いる、所謂「打ち込み式排水用型枠パネル工法」では、コンクリート地下壁と排水用パネルを同時に施工でき工期の短縮を図ることができる反面、コンクリート表面の施工状況を確認することができない。このため、コンクリート壁にジャンカ等の施工不良箇所が発生していても補修することができず、多量の浸透水（漏水）が発生する危険性があり、仮に多量の漏水が発生していると排水用パネルが変形したり、場合によってはコンクリート壁から剥離してしまう等の問題が生じる。
【０００６】
また、特許文献３のように排水パネル（合成樹脂発泡板）を用いた施工方法では、コンクリート壁の施工後に、コンクリート壁の所定の位置に防水系の接着剤を塗布して排水パネルを接着して取り付けているため、施工性が悪い。また、木質ボード等の内装下地材も接着剤を用いて排水パネルに貼り付けるため、解体時に合成樹脂発泡板と表面材とを分別解体できないという問題もあった。
【０００７】
本発明は、このような従来の問題点に鑑みてなされたもので、コンクリート地下壁の内側部分において浸透水等の排水を確実に行い得る信頼性の高い排水壁構造体を実現でき、且つ、施工性を高めると共に、分別解体を容易にする排水壁構造体及びその施工方法を提供することを目的とする。
【課題を解決するための手段】
【０００８】
上記目的を達成すべく成された本発明の構成は、以下の通りである。
【０００９】
即ち、本発明は、
（１）浸透水や結露水等の排水路を確保するように施工される排水壁構造体の施工方法であって、
コンクリート地下壁から所定の間隔を置いて室内側に上部ランナと下部ランナを配設すると共に、上部ランナと下部ランナとの間にスタッドを立設する工程と、
前記スタッドに、胴縁材を介して固定部材によって板状断熱材を取り付ける工程と、
前記胴縁材に内装材もしくは内装下地材を取り付ける工程と、
を有することを特徴とする。
【００１０】
更に、本発明の排水壁構造体の施工方法においては、
（２）「前記上部ランナと前記下部ランナは、両側に相対向する脚条を有するチャンネル部材であり、且つ、前記下部ランナは、コンクリート地下壁側に位置する前記脚条の一部が切り欠かれていること」が好ましい。
（３）「前記スタッドを立設する際に、スタッドとコンクリート地下壁との間隔を調整する機能を有するスペーサを取り付けること」が好ましい。
（４）「前記胴縁材を、前記スタッドに対し直交する方向に取付けること」が好ましい。
（５）「前記胴縁材は、両側に相対向する脚条を有するチャンネル部材であり、前記板状断熱材は複数の案内溝を有し、該案内溝に前記チャンネル部材の脚条部分を挿入すること」が好ましい。
【００１１】
また、本発明は、
（６）浸透水や結露水等の排水路を設けた排水壁構造体であって、
コンクリート地下壁から所定の間隔を置いて室内側に配設された上部ランナと下部ランナとの間にスタッドが立設されており、該スタッドに胴縁材を介して固定部材によって板状断熱材が取り付けられており、さらに該胴縁材に内装材もしくは内装下地材が取り付けられた構造を有することを特徴とする。
【００１２】
更に、本発明の排水壁構造体においては、
（７）「前記上部ランナと前記下部ランナは、両側に相対向する脚条を有するチャンネル部材であり、且つ、前記下部ランナは、コンクリート地下壁側に位置する前記脚条の一部が切り欠かれていること」が好ましい。
【発明の効果】
【００１３】
前述した手段（１），（６）によれば、コンクリート地下壁と板状断熱材を用いた断熱壁との間に排水路を形成するものであるため、従来のように排水用パネルの変形やコンクリート地下壁からの剥離といった問題が生じることがなく、浸透水や結露水等の排水を確実に行い得る信頼性の高い排水壁構造体が実現される。また、完全な乾式工法によって排水壁構造体を施工することができるため、従来のように施工性の悪い接着剤による板状断熱材や内装下地材等の固定を行う必要がなく、排水性構造体の施工性を高めることができると共に、解体時に分別解体を容易に行うことができる。
前述した手段（２），（７）によれば、スタッドを極めて安定した状態で立設することができ、構造的安定性を容易に高めることができると共に、仮に多量の漏水が発生した場合にも下部ランナ部分に水が停留することがなく、確実に水を排水路に導くことができ、室内側への水漏れを効果的に防止することができる。
前述した手段（３）によれば、スタッドの振れ止めを図ることができ構造的安定性をより一層高めることができると共に、仮にコンクリート地下壁に不陸が生じている場合であっても、複数のスペーサの長さを適宜調整することで、断熱壁を支持するスタッドのレベルを調整することができ、断熱壁の不陸の発生を防止することができる。
前述した手段（４）によれば、ビス等の固定部材による胴縁材の固定位置を簡単に確認でき、板状断熱材の取り付けを容易に行うことができる。
前述した手段（５）によれば、板状断熱材に設けられた案内溝にチャンネル部材の脚条部分を挿入することによって、自動的に胴縁材の墨出しが成されるため、施工性をより一層高めることができる。
【発明を実施するための最良の形態】
【００１４】
本発明の排水壁構造体及び施工方法は、地下の浸透水や結露水等をコンクリート地下壁の内側（室内側）で排水するために、コンクリート地下壁の内側に所定の間隔を置いて断熱壁を設け、地下壁と断熱壁との間に排水路を形成した地下断熱二重壁及び地下断熱二重壁工法に関するものである。以下に本発明の実施形態例を説明するが、本発明はこれらの形態例に限定されるものではない。
【００１５】
（第１の実施形態例）
本発明の第１の実施形態例を図１乃至図６を用いて説明する。図１乃至図３は各工程における施工状態を示す斜視図であり、図４乃至図６は各工程における施工状態を示す横断面図である。
【００１６】
まず、図１及び図４に示すように、コンクリート地下壁１から所定の間隔を置いて室内側に上部ランナ２と下部ランナ３を打ち込みピン５（図４参照）によって固定した後、これらのランナの間にスタッド４を所定の間隔で立設する。
【００１７】
本例の上部ランナ２と下部ランナ３は両側に相対向する脚条を有する軽量形鋼によるチャンネル部材であり、スタッド４は断面ロ字形の所定の長さを有する軽量形鋼（角パイプ）である。このため、上部ランナ２と下部ランナ３の間にスタッド４を横向きもしくは斜めに差し入れた後、スタッド４を立ち上げて上部ランナ２と下部ランナ３のそれぞれの脚条間に差し込むことにより、スタッド４を容易に安定した状態で立設することができる。尚、必要に応じてスタッド４を上部ランナ２と下部ランナ３にビス止めしてもよい。
【００１８】
上部ランナ２、下部ランナ３及びスタッド４には、例えば亜鉛めっき鉄板、アルミニウム・亜鉛合金めっき鋼板（ガルバリウム鋼板）、ステンレス（ＳＵＳ）等の防錆性を有する材料が好適に用いられる。
【００１９】
次に、図２及び図５に示すように、スタッド４に、胴縁材７を介してビス（固定部材）８によって板状断熱材６を取り付ける。
【００２０】
本例の胴縁材７は両側に相対向する脚条を有する軽量形鋼からなるチャンネル部材である。また、板状断熱材６には、チャンネル部材からなる胴縁材７の脚条部分を挿入できるように、複数の案内溝が形成されている。このため、板状断熱材６に設けられた案内溝に胴縁材７の脚条部分を挿入することによって、内装材等の下地組となる胴縁材７の墨出しが自動的に成される。
【００２１】
板状断熱材６の材料としては、耐水性・断熱性等に優れたものが好ましく、例えばポリスチレン発泡体，ポリエチレン発泡体，ポリウレタン発泡体等の独立気泡を有する合成樹脂発泡体が好適である。特に押出発泡ポリスチレン（商品名「スタイロフォーム」：ダウ化工（株）製）は、その低い吸水性の故に最も好ましい。
【００２２】
板状断熱材６には２５ｍｍ〜１５０ｍｍ程度の厚みのものが使用できるが、下地としての強度、断熱性、あるいは、室内空間の有効利用等を考慮し、３５ｍｍ〜１００ｍｍ程度の厚みのものを使用するのが望ましい。
【００２３】
板状断熱材６の形態としては、側面に本実加工が施されているものを好適に用いることができる。このような形態とすることにより、相隣接する板状断熱材同士を隙間無く結合することができると共に、多少の不陸があってもレベル調整をすることができる。尚、板状断熱材６の割付に応じて３側面若しくは全側面に本実加工を施すこともできる。
【００２４】
また、板状断熱材６の側面近傍にも案内溝を設け、図２に示すように上下に隣接する２枚の板状断熱材６に跨ってチャンネル部材からなる胴縁材７ａを取り付けることが好ましい。このような形態とすることにより、板状断熱材の目地開きを防止することができる。
【００２５】
胴縁材７には一般に鋼材が用いられるが、所定の強度を有していれば例えば硬質プラスチック等を用いることもできる。
【００２６】
図示のように胴縁材７はスタッド４に対し直交する方向、即ち水平方向に取付けることが好ましい。このようにすれば、ビス打ち位置の確認が容易となり、板状断熱材６の取り付けを容易に行うことができる。
【００２７】
次に、必要に応じてポリエチレンフィルム等からなる防湿フィルム（不図示）を板状断熱材６の前面に貼り付けた後、図３及び図６に示すように、胴縁材７に内装下地材（若しくは内装材）９をビス１０によって取り付ける。
【００２８】
内装下地材（若しくは内装材）９は特に限定されるものではなく、例えば珪酸カルシウム板、フレキシブルボード、ＡＬＣ板、石膏ボード、木材、合板、タイル、プレキャストコンクリート板等、通常用いられているものを用いることができる。
【００２９】
このようにして施工される排水壁構造体では、コンクリート地下壁１と断熱壁との間に排水路１１として機能する空間が形成される。そして、コンクリート地下壁１を浸透してきた浸透水や結露水等は、排水路を流下し、排水路下部の水抜き管１２を通って集水ピット（不図示）に集められ、ポンプ等によって地上へ排出されることになる。
【００３０】
また、コンクリート地下壁１と板状断熱材６を用いた断熱壁との間に排水路１１を形成するものであるため、従来のように排水用パネルの変形やコンクリート地下壁からの剥離といった問題が生じることがなく、信頼性の高い排水壁構造体を構築できる。また、完全な乾式工法によって排水壁構造体を施工することができるため、従来のように施工性の悪い接着剤による板状断熱材や内装下地材等の固定を行う必要がなく、施工性を高めることができると共に、解体時に分別解体を容易に行うことができる。
【００３１】
（第２の実施形態例）
本発明の第２の実施形態例を図７を用いて説明する。図７は、上部ランナと下部ランナとの間にスタッドを立設した状態をコンクリート地下壁側から見た斜視図である。
【００３２】
本例においても上部ランナ２と下部ランナ３はチャンネル部材であるが、下部ランナ３のコンクリート地下壁側に位置する脚条の一部が切り欠かれている点が第１の実施形態例と異なる。
【００３３】
前述のように、本発明の排水壁構造体の施工方法はコンクリート地下壁と断熱壁との間に排水路を形成する二重壁工法であり、コンクリート地下壁と断熱壁との間隔を大きくするほど信頼性の高い排水壁構造体を構築できる。しかしながら、コンクリート地下壁と断熱壁との間隔を大きくすると、大きなデッドスペースを生じ空間の有効利用率が低下する。
【００３４】
本例は、コンクリート地下壁と断熱壁との間隔を必要最小限に抑え、且つ、信頼性の高い排水壁構造体を構築できるようにしたものである。即ち、図７に示すように、下部ランナ３のコンクリート地下壁側に位置する脚条３ａに所定の切欠部３ｂを設け、この切欠部３ｂを排水路の一部として活用できるようにしたものである。このように構成することにより、仮に多量の漏水が発生した場合にもチャンネル部材からなる下部ランナ部分に水が停留することがなく、確実に水を排水路に導くことができ、室内側への水漏れを効果的に防止することができる。
【００３５】
下部ランナ３に設ける切欠部３ｂの幅，深さ，形状等は適宜設計することができ、例えば深さに関して言えば、下部ランナ部分への停留水量を最小限にするために、なるべくチャンネル部材のベース３ｃに及ぶ程度に深く形成するのが好ましい。
【００３６】
また、切欠部３ｂは、隣接するスタッド間に少なくとも１箇所形成するのが好ましい。これにより、確実に下部ランナ部分に水が停留するのを防止することができる。
【００３７】
尚、板状断熱材及び内装下地材（若しくは内装材）の取り付けは、第１の実施形態例と同様に行うことができる。
【００３８】
（第３の実施形態例）
本発明の第３の実施形態例を図８を用いて説明する。図８は、上部ランナと下部ランナとの間にスタッドを立設した状態を示す横断面図である。
【００３９】
本例は、スタッド４を立設する際に、スタッド４とコンクリート地下壁１との間隔を調整する機能を有するスペーサ１３を取り付けたものである。
【００４０】
第１の実施形態例のように高い剛性を有する角パイプをスタッドを用いた場合には、振れ止め部材を設けなくても構造的安定性の高い断熱壁を施工することが可能である。一方、地下の階高が高く、断熱壁の高さが極めて高くなる場合や、角パイプよりも剛性が低く低コストの部材、例えばチャンネル部材をスタッドに用いる場合には、本例のようにスタッド４とコンクリート地下壁１との間に上記スペーサ１３を取り付けるのが良い。これにより、スタッド４の振れ止めを図ることができ構造的安定性を高めることができると共に、仮にコンクリート地下壁１に不陸が生じている場合であっても、複数のスペーサ１３の長さを適宜調整することで、スタッド４のレベルを簡単に調整することができ、断熱壁の不陸の発生を防止することができる。
【００４１】
尚、板状断熱材及び内装下地材（若しくは内装材）の取り付けは、第１の実施形態例と同様に行うことができる。
【図面の簡単な説明】
【００４２】
【図１】本発明の第１の実施形態例の説明図であり、上部ランナと下部ランナの間にスタッドを立設した状態を示す斜視図である。
【図２】本発明の第１の実施形態例の説明図であり、スタッドに板状断熱材を取り付けた状態を示す斜視図である。
【図３】本発明の第１の実施形態例の説明図であり、板状断熱材の前面に内装下地材（若しくは内装材）を取り付けた状態を示す斜視図である。
【図４】本発明の第１の実施形態例の説明図であり、上部ランナと下部ランナの間にスタッドを立設した状態を示す横断面図である。
【図５】本発明の第１の実施形態例の説明図であり、スタッドに板状断熱材を取り付けた状態を示す横断面図である。
【図６】本発明の第１の実施形態例の説明図であり、板状断熱材の前面に内装下地材（若しくは内装材）を取り付けた状態を示す横断面図である。
【図７】本発明の第２の実施形態例の説明図であり、上部ランナと下部ランナとの間にスタッドを立設した状態をコンクリート地下壁側から見た斜視図である。
【図８】本発明の第３の実施形態例の説明図であり、上部ランナと下部ランナとの間にスタッドを立設した状態を示す横断面図である。
【符号の説明】
【００４３】
１  コンクリート地下壁
２  上部ランナ
３  下部ランナ
３ａ  脚条
３ｂ  切欠部
３ｃ  ベース
４  スタッド
５  打ち込みピン
６  板状断熱材
７、７ａ  胴縁材
８  ビス
９  内装下地材（若しくは内装材）
１０  ビス
１１  排水路
１２  水抜き管
１３  スペーサ
【図１】
2005200944.tif 000003
【図２】
2005200944.tif 000004
【図３】
2005200944.tif 000005
【図４】
2005200944.tif 000006
【図５】
2005200944.tif 000007
【図６】
2005200944.tif 000008
【図７】
2005200944.tif 000009
【図８】
2005200944.tif 000010